(57)【要約】【課題】丸い印鑑を持ちやすく、真っすぐ捺印できる真っすぐ捺印できる印鑑グリップを提供する。【解決手段】印鑑の外側周壁面即ち印側に巻きつけるようにして接着固定される印鑑グリップにおいて、垂直に立てた印鑑の印字方向に正対した時、印側の真正面下部に当たる位置に幅と高さがそれぞれ約１０ミリ前後程の平らな垂直面になった捺印基点面を形成し、捺印基点面の下方先端縁は印字方向に直交する水平線の捺印目印線となり、この捺印目印線が印鑑の接地縁から約２〜５ミリ程度上に来るように取り付けられるのであるが、このような捺印基点面を鳥の胴体と仮定した場合、この胴体の左右斜め上方に羽のように延び拡がって印側に巻きつけ固定され、丁度捺印時に指先が当たる場所となるグリップ部が形成されることを特徴とする真っすぐ捺印できる印鑑グリップ。【選択図】図１
2013126753.tif 000002
【特許請求の範囲】
【請求項１】
印鑑の外側周壁面即ち印側に巻きつけるようにして接着固定される印鑑グリップにおいて、垂直に立てた印鑑の印字方向に正対した時、印側の真正面下部に当たる位置に幅と高さがそれぞれ約１０ミリ前後程の平らな垂直面になった捺印基点面を形成し、捺印基点面の下方先端縁は印字方向に直交する水平線の印字目印線となり、この印字目印線が印鑑の接地縁から２〜５ミリ程度上に来るように取り付けられるのであるが、このような捺印基点面を鳥の胴体と仮定した場合、この胴体の左右斜め上方向に羽の様に延び拡がって印側に巻きつけ固定され、丁度捺印時に指先に当たる場所となるグリップ部が形成されることを特徴とする真っすぐ捺印できる印鑑グリップ。
【請求項２】
捺印基点面は真正面下部に限らず印字方向に平行する左右いずれかの印側の側面下部に取り付けても良いこと特徴とする、請求項１における真っすぐ捺印できる印鑑グリップ。
【請求項３】
捺印基点面とグリップ部とが必ずしも連続的一体の形とは限らず、間で分離された形でも印側に取り付けられることを特徴とする、請求項１における真っすぐ捺印できる印鑑グリップ。
【発明の詳細な説明】
【技術分野】
【０００１】  本発明は、丸い印鑑を持ちやすく、真っすぐ捺印するための、真っすぐ捺印できる印鑑グリップに関するものである。
【背景技術】
【０００２】  従来、丸い印鑑を真っすぐに捺印する場合は、印側の前方中心に付与してある目印、又は、その位置にあたる場所に人差し指をあわせるなどして方向を決めていた。
【発明の概要】
【発明が解決しようとする課題】
【０００３】  そのために、次のような問題があった。
（イ）印側の前方中心に人差し指を合わせても死角になり見えない為に目印にならず、真っすぐ捺印することは難しかった。
（ロ）印側の後方中心の縁を紙面に接地させてから向こう側へ押し付けて捺印する人が多いが、目印がないために傾いた印影になりやすかった。
（ハ）印側に前方中心を示す目印がない印鑑や、複雑な文字の印鑑は上下を確認するのが難しかった。
（二）円柱形状で印側の表面が滑らかな素材が多い為、指先が滑って持ちづらく、特に高齢者の場合は指先の力が弱いために、捺印時に下方に力を入れた時に指先がはずれることも多かった。
（ホ）円柱形状であるが故に、転がって紙面を汚してしまったり、落下させて印鑑の縁を欠けさせてしまう事があった。
（ヘ）認印、銀行印、実印など類似した形の印鑑を使い分けている上、家族全員が同じ苗字なので区別しづらく、わからなくなる事があった。
本発明は、以上の問題点を解決するためになされたものである。
【課題を解決するための手段】
【０００４】  印鑑の外側周壁面即ち印側に巻きつけるようにして接着固定される印鑑グリップにおいて、垂直に立てた印鑑の印字方向に正対したした時、印側の真正面下部に当たる位置に、幅と高さがそれぞれ約１０ミリ前後程の平らな垂直面になった捺印基点面を形成し、捺印基点面の下方先端縁は印字方向に直交する水平線の捺印目印線となり、この捺印目印線が印鑑の接地縁から約２ミリ〜５ミリ程度上に来るように取り付けられるのであるが、このような捺印基点面を鳥の胴体と仮定した場合、この胴体の左右斜め上方に羽のように延び拡がって印側に巻きつけ固定され、丁度捺印時に指先が当たる場所となるグリップ部が形成される。
以上のように形成されることを特徴とする真っすぐ捺印できる印鑑グリップである。
【発明の効果】
【０００５】  捺印時に最初に紙面に接地する印鑑の手前真正面の縁の上に、印字方向に直交する捺印目印線があるので、この捺印目印線を水平になる様にして縁を接地させてから徐々に前方に接地させていけば、労せずして真っすぐな印影を得ることができ、文字が上下逆さまに印字される心配もない。捺印基点面の左右両サイドに角張があるので、印鑑が円柱状であろうとも転がらず、重要な書類を汚すのを防ぎ、転落して印鑑が破損する事も防ぐ。印側に直接指を当てるのでなく、滑りにくいグリップに指がしっかりフィットして持ちやすく、捺印圧も安定してかける事ができ、ムラのないきれいな印影になる。グリップの形状や色を変えて使い分けることによって、印面の複雑な文字や読みづらい鏡文字をいちいち確認しなくても類似の印鑑を一目で見分け、区別して使用することができる。
【図面の簡単な説明】
【０００６】
【図１】本発明の実施例を示す斜視図
【図２】本発明を別の角度から見た実施例を示す斜視図
【図３】本発明の実施例を示す底面図
【図４】本発明の別の実施例を示す斜視図
【図５】本発明の別の実施例を示す斜視図
【符号の説明】
【０００７】  １  印側
２  捺印基点面
３  捺印目印線
４  グリップ部
５  印影
６  印面
【発明を実施するための形態】
【０００８】  以下、本発明の実施の形態について説明する。
印鑑の外側周壁面即ち印側（１）に巻きつけるようにして接着固定される印鑑グリップにおいて、垂直に立てた印鑑の印字方向に正対した時、印側（１）の真正面下部に当たる位置に、幅と高さがそれぞれ約１０ミリ前後程の平らな垂直面になった捺印基点面（２）を形成し、捺印基点面（２）の下方先端縁は印字方向に直交する水平線の捺印目印線（３）となり、この捺印目印線（３）が印鑑の接地縁から約２ミリ〜５ミリ程度上にくるように取り付けられるのであるが、このような捺印基点面（２）を鳥の胴体と仮定した場合、この胴体の左右斜め上方に羽のように延び拡がって印側（１）に」巻きつけ固定され、丁度捺印時に指先が当たる場所となるグリップ部（４）が形成される。
本発明は以上のような構成であり、これを実際に使用する時は、捺印基点面（２）が手前正面に来る位置で、印側（１）の左右のグリップ部（４）に指を当てて握り、印面（６）に朱肉を付ける。捺印基点面（２）は印影（５）の文字と垂直となるようにあらかじめ貼ってあるので、捺印目印線（３）を水平にして捺印すれば印影（５）は必ず真っすぐに捺印できる。又、グリップ部（４）に当てた指の感触は持ちやすく、滑らないので安定して圧をかけられるので、きれいな印影（５）を得られる。
【実施例１】  又、捺印基点面（２）は真正面下部に限らず、印字方向に平行する左右いずれかの印側（１）の側面下部に取り付けても良い。
【実施例２】  又、捺印基点面（２）とグリップ部（４）が連続した一体の形であっても、グリップ部（４）が分離した形で各自の指が印側（１）に当たる位置に調整して貼る形でもどちらでも良い。
【実施例３】  又、グリップ部（４）の形や色を多様化させて区別して使い分ければ、類似系の印鑑の押し間違いも防ぐことができる。
【図１】
2013126753.tif 000003
【図２】
2013126753.tif 000004
【図３】
2013126753.tif 000005
【図４】
2013126753.tif 000006
【図５】
2013126753.tif 000007